(57)【特許請求の範囲】
【請求項１】
透液性トップシートと不透性バックシートとの間に、繊維集合体からなる吸収体が介在されてなり
股間にあてがわれる部分を含む股間部と、その前側に延在する腹側部分と、前記股間部の後側に延在する背側部分とを有し、
幅方向両側部における、前後方向に沿って少なくとも前記腹側部分から前記股間部までの範囲に、身体側に起立する立体ギャザーがそれぞれ設けられている、
吸収性物品において、
前記吸収体は少なくとも前記腹側部分及び前記股間部にわたり設けられるとともに、前記股間部の幅方向中央部の左右両側に、それぞれ前記腹側部分との境界から物品後側に股間部易折り曲げ部が線状に延在されており、
前記立体ギャザーは、前記吸収性物品の幅方向両側部に固定された基端部と、この基端部から幅方向中央側に延出する延出部とを有し、前記延出部のうち前後方向両端部は幅方向外側に折り返された非起立状態で固定され、これらの間の前後方向中間部は幅方向外側に折り返された非固定の自由部分とされ、この自由部分の少なくとも先端部に、細長状弾性伸縮部材が前後方向に沿って伸張された状態で固定されており、且つ
各立体ギャザーのうち前記股間部に位置する部分の幅方向中央側端縁である折り返し部位が、前記股間部易折り曲げ部よりも幅方向中央側に位置されるとともに、各立体ギャザーにおける自由部分と基端部との境界が、前記股間部易折り曲げ部に対して幅方向外側に離間し、かつ前記自由部分の先端部が前記自由部分と基端部との境界よりも幅方向中央側に離間しており、
装着状態で、前記股間部易折り曲げ部で身体側に山折りされ、前記股間部の幅方向中央部がその左右両側に対して身体側に膨出されるとともに、前記立体ギャザーの折り返し部位が膨出部分よりも高く突出して脚の付根に密着し、かつ前記立体ギャザーにおける前記折り返し部位よりも先端側をなす折り返し部分が、前記折り返し部位で外側に折り返された状態で太股の内側周面に面接触するように構成された、
ことを特徴とする吸収性物品。
【請求項２】
各立体ギャザーの幅方向中央側端縁が、後側から前側に向うにつれて幅方向外側に位置するように構成されている、請求項１記載の吸収性物品。
【請求項３】
前記折り返し部分の幅が１５〜３０ｍｍとされている、請求項１又は２記載の吸収性物品。
【請求項４】
前記吸収体における左側の股間部易折り曲げ部の前端部から幅方向左側縁まで、及び前記吸収体における右側の股間部易折り曲げ部の前端部から幅方向右側縁まで、それぞれ幅方向に対して±６０度の角度範囲に、腹側易折り曲げ部が線状に延在されており、
前記股間部易折り曲げ部で身体側に山折りされ、前記股間部易折り曲げ部の間がその左右両側に対して身体側に膨出されるとともに、前記腹側易折り曲げ部で身体側に谷折りされ、前記腹側易折り曲げ部よりも前側に位置する部分がその後側に位置する部分に対して起立された装着状態となる、請求項１〜３のいずれか１項に記載の吸収性物品。
【請求項５】
前記背側部分には前記吸収体が延在されておらず、この吸収体の後端縁により幅方向に沿って線状に延在する背側易折り曲げ部が形成されており、
幅方向両側部における、前記吸収体の後端縁と対応する前後方向部位に、臀溝当接位置を表す目印がそれぞれ設けられている、請求項１〜４のいずれか１項に記載の吸収性物品。
【請求項６】
前記吸収体における腹側部分は、前後方向長さが１００〜４５０ｍｍ、幅が１５０〜４００ｍｍ、且つ面積が１５，０００〜１８０，０００ｍｍ2であり、
前記吸収体における股間部は、前後方向長さが１５０〜５００ｍｍ、幅が１５０〜４００ｍｍ、且つ面積が２２，５００〜２００，０００ｍｍ2であり、
前記股間部易折り曲げ部は幅方向間隔が６０〜２００ｍｍであり、且つ前後方向長さが５０〜３００ｍｍである、
請求項１〜５のいずれか１項に記載の吸収性物品。
【請求項７】
前記吸収体における左側の股間部易折り曲げ部の前端部から幅方向左側縁まで、及び前記吸収体における右側の股間部易折り曲げ部の前端部から幅方向右側縁まで、それぞれ幅方向に対して±６０度の角度範囲に腹側易折り曲げ部が線状に延在されている、請求項１〜６のいずれか１項に記載の吸収性物品。
【請求項８】
前記吸収体は下層の上に上層を積層してなるものであり、
前記腹側易折り曲げ部が前記下層の周縁における前記上層の下面と重なる部分であり、且つ前記股間部易折り曲げ部が前記下層に設けられたスリット又は圧縮加工部であるか、又は前記腹側易折り曲げ部が前記上層の周縁における前記下層の下面と重なる部分であり、且つ前記股間部易折り曲げ部が前記上層に設けられたスリット又は圧縮加工部である、請求項７記載の吸収性物品。
【請求項９】
前記背側部分には前記吸収体が延在しておらず、前記股間部易折り曲げ部よりも後側に、前記吸収体の幅方向一方側の側縁から他方側の側縁まで連続するスリット又は圧縮加工部が形成されている、請求項１〜８のいずれか１項に記載の吸収性物品。
【請求項１０】
前記背側部分には前記吸収体が延在しておらず、
前記背側部分における前記透液性トップシートと前記不透性バックシートとの間に、シート状繊維基材中に吸収性ポリマーが散在された移動層が積層されており、
前記移動層は、前記吸収性ポリマーが、吸液によるゲル化膨張によって繊維間の空隙を介して繊維基材の一方の表面上に至るまで膨出して繊維基材上にポリマー層を形成するように構成されており、
隣接する移動層における吸収性ポリマー膨出面が対面して位置され、少なくとも前記ポリマー層の形成によって、それら隣接する移動層が層間で互いにせん断方向に移動可能となるように構成されている、
請求項１〜９のいずれか１項に記載の吸収性物品。
【発明の詳細な説明】
【技術分野】
【０００１】
本発明は、褥瘡（床ずれ）予防を目的とした紙おむつ、吸収パッド等の吸収性物品に関するものである。
【背景技術】
【０００２】
褥瘡は、寝たきりの人や車いすが手放せない人、自分では体の向きや位置を変えられない人に発生し易いものであり、特に、骨が盛り上がっていて圧迫がかかりやすい部分、たとえば腰、尻などに発生し易いものである。褥瘡の直接の原因は、局所的な圧迫による血流の停止であるが、皮膚が尿や便などの水分に長時間さらされたままになっていると皮膚の表面が弱くなり、損傷を受け易くなる結果、褥瘡が発生し易くなる。
【先行技術文献】
【特許文献】
【０００３】
【特許文献１】特開２００７−５４２７９号公報
【特許文献２】特開２００６−１４９５７１号公報
【発明の概要】
【発明が解決しようとする課題】
【０００４】
しかし、従来の吸収性物品では、排尿時、特に褥瘡が発生し易い仙骨部や尾骨部が尿で濡れてしまい、褥瘡が発生し易くなっていた。より詳細には、従来の吸収性物品では、股間部において身体と物品との間に隙間が生まれ易いものであった。特に尿を吸収した吸収性物品は自重で下に引っ張られるため、このような隙間の発生は避け得ないものであった。しかも、このような隙間は、腹側から背側までの略全体に存在する吸収体の全てに尿を行き渡らせることにより吸収体全体を使い切るという観点ではむしろ好ましいものであった。しかし、褥瘡予防という観点からは、このような通常の吸収性物品における液拡散の設計思想が裏目に出てしまうのである。
そこで、本発明の主たる課題は、身体背側（特に仙骨部や尾骨部）の尿汚染による褥瘡の予防に優れる吸収性物品を提供することにある。
【課題を解決するための手段】
【０００５】
上記課題を解決した本発明及びその作用効果は次記のとおりである。
＜請求項１記載の発明＞
透液性トップシートと不透性バックシートとの間に、繊維集合体からなる吸収体が介在されてなり
股間にあてがわれる部分を含む股間部と、その前側に延在する腹側部分と、前記股間部の後側に延在する背側部分とを有し、
幅方向両側部における、前後方向に沿って少なくとも前記腹側部分から前記股間部までの範囲に、身体側に起立する立体ギャザーがそれぞれ設けられている、
吸収性物品において、
前記吸収体は少なくとも前記腹側部分及び前記股間部にわたり設けられるとともに、前記股間部の幅方向中央部の左右両側に、それぞれ前記腹側部分との境界から物品後側に股間部易折り曲げ部が線状に延在されており、
前記立体ギャザーは、前記吸収性物品の幅方向両側部に固定された基端部と、この基端部から幅方向中央側に延出する延出部とを有し、前記延出部のうち前後方向両端部は幅方向外側に折り返された非起立状態で固定され、これらの間の前後方向中間部は幅方向外側に折り返された非固定の自由部分とされ、この自由部分の少なくとも先端部に、細長状弾性伸縮部材が前後方向に沿って伸張された状態で固定されており、且つ
各立体ギャザーのうち前記股間部に位置する部分の幅方向中央側端縁である折り返し部位が、前記股間部易折り曲げ部よりも幅方向中央側に位置されるとともに、各立体ギャザーにおける自由部分と基端部との境界が、前記股間部易折り曲げ部に対して幅方向外側に離間し、かつ前記自由部分の先端部が前記自由部分と基端部との境界よりも幅方向中央側に離間しており、
装着状態で、前記股間部易折り曲げ部で身体側に山折りされ、前記股間部の幅方向中央部がその左右両側に対して身体側に膨出されるとともに、前記立体ギャザーの折り返し部位が膨出部分よりも高く突出して脚の付根に密着し、かつ前記立体ギャザーにおける前記折り返し部位よりも先端側をなす折り返し部分が、前記折り返し部位で外側に折り返された状態で太股の内側周面に面接触するように構成された、
ことを特徴とする吸収性物品。
【０００６】
（作用効果）
本発明の易折り曲げ部とは、後述の記載からも明らかなように、隣接部位と比べて吸収体が折れ曲がり易くなっている部分である。本発明では、第１に、このような易折り曲げ部を、吸収体における股間部の幅方向中央部の左右両側に、それぞれ腹側部分との境界から物品後側に線状に延在させるとともに、第２に、いわゆる立体ギャザーの幅方向中央側幅方向中央側端縁が、股間部易折り曲げ部よりも幅方向中央側に位置され、また各立体ギャザーにおける自由部分と基端部との境界が、股間部易折り曲げ部に対して幅方向外側に離間しているところに特徴を有するものである。
【０００７】
本発明では、股間部易折り曲げ部を身体側から見て山折りすることにより、股間部の幅方向中央部がその左右両側に対して身体側に膨出し、膨出部分がその左右両側に支えられつつ身体股間に対して弾力的に密着し、尿吸収後の重さにも耐えて密着が維持されるようになる。よって、排尿時、尿が背側に拡散し難くなり、特に褥瘡が発生し易い仙骨部や尾骨部が尿で濡れて褥瘡が発生し易くなるといった事態を予防できる。
【０００８】
しかしこの際、立体ギャザーの幅方向中央側端縁が、前記股間部易折り曲げ部よりも幅方向外側に位置していると、立体ギャザーが膨出部分の左右両側に没するため、脚の周面に対しては当接するが、脚の付根には密着しない。よって、所謂横漏れが発生し易くなる。一方、各立体ギャザーにおける自由部分と基端部との境界が、前記股間部易折り曲げ部と重なる位置かこれよりも幅方向内側に位置していても、立体ギャザーが膨出部分の幅方向中央寄りに位置し、脚の付根から離れた部位で身体に密着するため、脚の付根には密着しない。また、この場合、立体ギャザーが膨出部分から起立するようになるため、立体ギャザーの動きは膨出部分により拘束され、独立的且つ自由に動くことができないため、身体に対する密着性が低下する。
【０００９】
これに対して、立体ギャザーが本発明のように構成されていると、膨出部分の密着部分の幅方向両側において、立体ギャザーの幅方向中央側端縁が膨出部分よりも高く突出して脚の付根に弾力的に密着し、膨出部分に対して独立的且つ自由に動くことができるようになるため、股間部を膨出させて身体に当てる形状でありながら、横漏れを確実に防止できるようになる。
【００１０】
＜請求項２記載の発明＞
各立体ギャザーの幅方向中央側端縁が、後側から前側に向うにつれて幅方向外側に位置するように構成されている、請求項１記載の吸収性物品。
【００１１】
（作用効果）
このように構成されていると、腹側部分に広い吸収面を確保することができ、背側への尿の拡散防止効果が向上するため好ましい。
【００１２】
＜請求項３記載の発明＞
前記折り返し部分の幅が１５〜３０ｍｍとされている、請求項１又は２記載の吸収性物品。
【００１３】
（作用効果）
本発明の立体ギャザーにおいてこのような外折り構造を採用すると、立体ギャザーの幅方向中央側端縁（折り返し部位）が脚の付根に密着するとともに、立体ギャザーの折り返し部分が太股の内側周面に面接触するようになるため、前述の横漏れ防止効果がより一層のものとなる。
【００１４】
＜請求項４記載の発明＞
前記吸収体における左側の股間部易折り曲げ部の前端部から幅方向左側縁まで、及び前記吸収体における右側の股間部易折り曲げ部の前端部から幅方向右側縁まで、それぞれ幅方向に対して±６０度の角度範囲に、腹側易折り曲げ部が線状に延在されており、
前記股間部易折り曲げ部で身体側に山折りされ、前記股間部易折り曲げ部の間がその左右両側に対して身体側に膨出されるとともに、前記腹側易折り曲げ部で身体側に谷折りされ、前記腹側易折り曲げ部よりも前側に位置する部分がその後側に位置する部分に対して起立された装着状態となる、請求項１〜３のいずれか１項に記載の吸収性物品。
【００１５】
（作用効果）
このような排尿口当接位置を表す目印を設けることにより、より容易に吸収性物品を身体の適切な部位に当てることができるようになり、前述の効果がより確実に発揮されるようになる。
【００１６】
＜請求項５記載の発明＞
前記背側部分には前記吸収体が延在されておらず、この吸収体の後端縁により幅方向に沿って線状に延在する背側易折り曲げ部が形成されており、
幅方向両側部における、前記吸収体の後端縁と対応する前後方向部位に、臀溝当接位置を表す目印がそれぞれ設けられている、請求項１〜４のいずれか１項に記載の吸収性物品。
【００１７】
（作用効果）
背側部分には吸収体が延在されておらず、この吸収体の後端縁により幅方向に沿って線状に延在する背側易折り曲げ部が形成されていると、背側への尿の拡散が効果的に防止されるため、前述の褥瘡予防効果がより一層のものとなる。そして、この場合、臀溝当接位置を表す目印を設けることにより、より容易に吸収性物品を身体の適切な部位に当てることができるようになり、背側への尿の拡散防止効果がより確実に発揮されるようになる。
【００１８】
＜請求項６記載の発明＞
前記吸収体における腹側部分は、前後方向長さが１００〜４５０ｍｍ、幅が１５０〜４００ｍｍ、且つ面積が１５，０００〜１８０，０００ｍｍ2であり、
前記吸収体における股間部は、前後方向長さが１５０〜５００ｍｍ、幅が１５０〜４００ｍｍ、且つ面積が２２，５００〜２００，０００ｍｍ2であり、
前記股間部易折り曲げ部は幅方向間隔が６０〜２００ｍｍであり、且つ前後方向長さが５０〜３００ｍｍである、
請求項１〜５のいずれか１項に記載の吸収性物品。
【００１９】
（作用効果）
本項記載のような寸法範囲に形成することで、股間部及び腹側部分のみで十分な吸収面積を確保することができ、背側への尿の拡散を完全に遮断又は堰き止めて褥瘡予防効果を顕著に向上させるとしても、十分な吸収能力を確保できるようになる。また、左右の股間部易折り曲げ部の幅方向間隔を成人の股間幅（５０〜６０ｍｍ程度）よりも広く設定し、吸収体の股間幅をそれよりも十分に広く設定するとともに、十分な前後方向長さを確保することで、両脚により吸収体の股間部が挟まれて圧縮されるため、物品の股間部における幅方向中央部の膨出及び弾力的な密着が自然に維持されるようになる。
【００２０】
＜請求項７記載の発明＞
前記吸収体における左側の股間部易折り曲げ部の前端部から幅方向左側縁まで、及び前記吸収体における右側の股間部易折り曲げ部の前端部から幅方向右側縁まで、それぞれ幅方向に対して±６０度の角度範囲に腹側易折り曲げ部が線状に延在されている、請求項１〜６のいずれか１項に記載の吸収性物品。
【００２１】
（作用効果）
吸収体における左側の股間部易折り曲げ部の前端部から幅方向左側縁まで、及び吸収体における右側の股間部易折り曲げ部の前端部から幅方向右側縁まで、それぞれ幅方向に対して±６０度の角度範囲に腹側易折り曲げ部が線状に延在れていると、腹側部分が腹側易折り曲げ部よりも前側に位置する部分において股間部に対して身体側に起立し、下腹部に対しても良好にフィットし、腹側部分に不要な力が加わり難いため、腹側部分のずれに起因して股間部に隙間が発生し、漏れに繋がるといった事態も発生し難くなる。
【００２２】
＜請求項８記載の発明＞
前記吸収体は下層の上に上層を積層してなるものであり、
前記腹側易折り曲げ部が前記下層の周縁における前記上層の下面と重なる部分であり、且つ前記股間部易折り曲げ部が前記下層に設けられたスリット又は圧縮加工部であるか、又は前記腹側易折り曲げ部が前記上層の周縁における前記下層の下面と重なる部分であり、且つ前記股間部易折り曲げ部が前記上層に設けられたスリット又は圧縮加工部である、請求項７記載の吸収性物品。
【００２３】
（作用効果）
吸収体を複数層構造とする場合には、一方の層を他方の層の周縁から食み出させることにより、全体としては他方の層の周縁において折れ曲がりやすくなる。よって、このような構造を利用して本発明の腹側易折り曲げ部を形成すると、製造が容易となるため好ましい。一方、股間部易折り曲げ部は、前後方向に沿って設けられるものであるため、このような層構造により形成するよりも、スリット又は圧縮加工部により形成する方が製造が容易であり好ましい。
【００２４】
＜請求項９記載の発明＞
前記背側部分には前記吸収体が延在しておらず、前記股間部易折り曲げ部よりも後側に、前記吸収体の幅方向一方側の側縁から他方側の側縁まで連続するスリット又は圧縮加工部が形成されている、請求項１〜８のいずれか１項に記載の吸収性物品。
【００２５】
（作用効果）
このようなスリット又は圧縮加工部が設けられていると、その前側で吸収した尿の浸透拡散が当該スリット又は圧縮加工部で遮断又は堰き止められる。よって、背側への尿の拡散が防止されるため、褥瘡予防効果がより一層のものとなる。
【００２６】
＜請求項１０記載の発明＞
前記背側部分には前記吸収体が延在しておらず、
前記背側部分における前記透液性トップシートと前記不透性バックシートとの間に、シート状繊維基材中に吸収性ポリマーが散在された移動層が積層されており、
前記移動層は、前記吸収性ポリマーが、吸液によるゲル化膨張によって繊維間の空隙を介して繊維基材の一方の表面上に至るまで膨出して繊維基材上にポリマー層を形成するように構成されており、
隣接する移動層における吸収性ポリマー膨出面が対面して位置され、少なくとも前記ポリマー層の形成によって、それら隣接する移動層が層間で互いにせん断方向に移動可能となるように構成されている、
請求項１〜９のいずれか１項に記載の吸収性物品。
【００２７】
（作用効果）
背側への尿の拡散をあらゆる場合に完全に防止することは不可能であり、そのような事態が発生してしまったときには仙骨部や尾骨部において褥瘡が発生し易くなる。本項記載の発明は、そのような褥瘡の発生を可能な限り防止しようとするものである。本項記載の発明において、背側部分に尿が漏れ出た場合、吸液により各移動層の隣接面に十分な厚さのゲル状のポリマー層が形成され、もってポリマー層のゲル特有の粘性、弾性及び移動層同士のせん断方向へのズレの許容の高まり等により、体圧分散効果が得られる。さらに、吸収性物品を着用している際に肌が吸収性物品の肌当接面に圧接した状態にあっても、移動層同士がせん断方向に移動可能であるので、肌当接面と肌との間に強い摩擦抵抗が生じたり、肌内部にある比較的硬質な骨や筋肉と肌表層との間に強いせん断力が発生したりすることがなく、もって褥瘡の発生も防止される。
【００２８】
一方、移動層同士の隣接面と反対の面は、ポリマー層が形成されない面とすることができ、この面を用いて隣接部材に固定することができ移動層の不要なヨレやズレを防止することも可能となる。
【００２９】
また、例えば、移動層を、吸収性ポリマー膨出面とは反対面側に、吸収性ポリマーの実質的な目付け量が０ｇ／ｍ2である非目付け層を形成したものとすれば、この非目付け層の存在により吸液後の湿潤状態のゲル化された吸収性ポリマーが肌当接面側（表面側）に極めて膨出しづらくなり、吸液時に湿潤状態のポリマーが肌から遠い位置となり、より吸液後の装用感が優れたものとすることもできる。
【発明の効果】
【００３０】
以上のとおり本発明よれば、身体背側（特に仙骨部や尾骨部）の尿汚染による褥瘡の予防に優れる吸収性物品となる、等の利点がもたらされる。
【図面の簡単な説明】
【００３１】
【図１】展開状態の吸収パッドの平面図である。
【図２】図１のＡ−Ａ断面図である。
【図３】図１のＣ−Ｃ断面図である。
【図４】要部を示す平面図である。
【図５】他の形態の平面図である。
【図６】他の形態の要部を示す平面図である。
【図７】他の形態の要部を示す平面図である。
【図８】他の形態の要部を示す平面図である。
【図９】吸収パッドの写真である。
【図１０】吸収パッドの装着状態を概略的に示す断面図である。
【図１１】体圧分散層の第１の形態の断面図である。
【図１２】第１の形態における体圧分散層のポリマー層形成時の断面を示す概略図である。
【図１３】第１の形態の別の例の断面を支めす概略図である。
【図１４】第１の形態の他の例の断面を支めす概略図である。
【図１５】体圧分散層の腹側易折り曲げ部形態の断面図である。
【図１６】体圧分散層の第３の形態の断面図である。
【図１７】第３の形態の他の例を示す概略図である。
【図１８】第３の形態の別の例を示す概略図である。
【発明を実施するための形態】
【００３２】
以下では、吸収パッドの例を引いて説明するが、本発明は止着式又はパンツ型等の各種の紙おむつにも適用できるものである。
図１〜３は、本発明に係る吸収パッド例を示している。この吸収パッドは、単体で、あるいは紙おむつの内面に敷いて使用されることを想定したものであり、前後方向中間部をなす股間部Ｍと、その前後両側に延在する腹側部分Ｆ及び背側部分Ｂとを有するものである。各部の寸法は適宜定めることができ、物品全長（前後方向長さ）Ｌ１は４９０〜６３０ｍｍ程度、全幅は２８０〜３２０ｍｍ程度とすることができ、この場合における股間部Ｍの前後方向長さは１５０〜１９０ｍｍ程度、幅は２８０〜３２０ｍｍ程度、腹側部分Ｆ３の前後方向長さは１１０〜１５０ｍｍ程度、幅は１５０〜３２０ｍｍ程度、及び背側部分Ｂの前後方向長さは１１０〜１５０ｍｍ程度、幅は１１０〜３２０ｍｍ程度とすることができる。特に、図示形態のように、腹側部分Ｆの幅が背側部分Ｂの幅よりも広く（例えば５０〜１００ｍｍ程度）、股間部Ｍの腹側が腹側部分Ｆと同幅となり且つ背側が背側部分Ｂと同幅となるように、股間部Ｍの幅が前後方向中間部で変化されているのが好ましい。
【００３３】
この吸収パッドは、外面に外装シート１２が積層された不透液性バックシート２の内面と、透液性トップシート１との間に、吸収体３が介在された基本構造を有している。
【００３４】
吸収体３としては、パルプ繊維の積繊体、セルロースアセテート等のフィラメントの集合体、あるいは不織布を基本とし、必要に応じて吸収性ポリマーを混合、固着等してなるものを用いることができる。必要に応じて、吸収体３はクレープ紙（図示せず）により包むことができる。また、吸収体３の形状は、図示のように相対的に前側の部分が後側の部分よりも幅広な帯状、あるいは長方形状、台形状等、適宜の形状とすることができる。
【００３５】
吸収体３における繊維目付け及び吸収性ポリマーの目付けは適宜定めることができるが、繊維目付けは１５０〜４００ｇ／ｍ2程度とするのが好ましく、また吸収性ポリマーの目付けは１５０〜４２０ｇ／ｍ2程度とするのが好ましい。
【００３６】
吸収体３の裏面側には、不透液性バックシート２が吸収体３の周縁より若干食み出すように設けられている。不透液性バックシート２としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
【００３７】
また、不透液性バックシート２の外面は、不織布からなる外装シート１２により覆われており、この外装シート１２は、所定の食み出し幅をもってバックシート２の周縁より外側に食み出している。外装シート１２としては各種の不織布を用いることができる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００３８】
吸収体３の表面側は、透液性トップシート１により覆われている。図示形態ではトップシート１の側縁から吸収体３が一部食み出しているが、吸収体３の側縁が食み出さないようにトップシート１の幅を広げることもできる。トップシート１としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００３９】
吸収パッドの前後方向両端部では、外装シート１２および透液性トップシート１が吸収体３の前後端よりも前後両側にそれぞれ延在されて貼り合わされ、吸収体３の存在しないエンドフラップ部ＥＦが形成されている。吸収パッドの両側部では、外装シート１２が吸収体３の側縁よりも外側にそれぞれ延在され、この延在部からトップシート１の側部までの部分の内面には、立体ギャザー４を構成するギャザーシート４ｓの幅方向外側の部分４ｘが前後方向全体にわたり貼り付けられ、吸収体３の存在しないサイドフラップ部ＳＦを構成している。これら貼り合わせ部分は、図１では斜線により、図２及び図３では点模様により示されており、ホットメルト接着剤、ヒートシール、超音波シールにより形成できる。外装シート１２を設けない場合、外装シート１２に代えて不透液性バックシート２をサイドフラップ部ＳＦまで延在させ、サイドフラップ部ＳＦの外面側を形成することができる。
【００４０】
ギャザーシート４ｓの素材としては、プラスチックシートやメルトブローン不織布を使用することもできるが、肌への感触性の点で、不織布にシリコンなどにより撥水処理をしたものが好適に使用される。
【００４１】
立体ギャザー４の幅方向中央側の部分４ｃはトップシート１上にまで延出しており、その延出部４ｃのうち、前後方向の両端部では非起立状態となるように畳まれて物品内面（図示形態ではトップシート１表面）に貼り合わされて固定され、かつこれらの間の前後方向中間部では物品内面（図示形態ではトップシート１表面）に固定されていない自由部分４ｆとされている。特に、延出部４ｃの前後方向両端部は、幅方向外側に折り返された状態で固定されている。この折り返し部分４ｒの幅は１５〜３０ｍｍ程度が好ましい。  
【００４２】
自由部分４ｆにおける先端部には、細長状弾性部材４ｇが前後方向に沿って伸張状態でホットメルト接着剤等により固定されている。この細長状弾性部材４ｇとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００４３】
かくして構成された立体ギャザー４においては、使用時において、自由部分４ｃが幅方向外側の固定部分４ｘと延出部４ｃとの境界４ｋを基端として物品内面（図示例ではトップシート１）から起立するようになる。
【００４４】
（易折り曲げ部）
特徴的には、図４にも示すように、吸収体３における股間部Ｍの幅方向中央部の左右両側に、それぞれ腹側部分Ｆとの境界から物品後側に股間部易折り曲げ部３ｙが線状に延在されている。左右の股間部易折り曲げ部３ｙは幅方向間隔Ｄ１が６０〜１５０ｍｍであり、且つ前後方向長さＬ２が５０〜１００ｍｍであるのが好ましい。幅方向間隔Ｄ１が狭すぎると股間部Ｍの膨出が維持され難く、広すぎると股間部Ｍにおける膨出が大きくなりすぎ、もこもことした装着感になる。股間部易折り曲げ部３ｙは、図４に示すように、前後方向に対する角度θ１が±３０度の範囲内にあるのが好ましく、中でも±１０度の範囲内にあるのが好ましく、特に図示のように０度であるのが好ましい。また、股間部易折り曲げ部３ｙは、図示例のように直線状とする他、例えば脚周りに沿うように前後方向中間部が幅方向中央側に膨出する湾曲形状とすることもできる。
【００４５】
また、図１に示す展開状態において、各立体ギャザー４のうち股間部Ｍに位置する部分の幅方向中央側端縁４ｉが、股間部易折り曲げ部３ｙよりも幅方向中央側に位置されるとともに、各立体ギャザー４における自由部分４ｆと基端部４ｘとの境界４ｋが、股間部易折り曲げ部３ｙに対して幅方向外側に離間されている。これらの条件を満足する限り、図５に示すように  各立体ギャザー４の幅方向中央側端縁４ｉが、後側から前側に向うにつれて幅方向外側に位置するように（換言すれば、両ギャザー４間の間隔４Ｄが狭くなるように）傾斜していても良い。このように構成されていると、腹側部分Ｆに広い吸収面を確保することができ、背側Ｂへの尿の拡散防止効果が向上するため好ましい。
【００４６】
通常の場合、両立体ギャザー４の幅方向中央側端縁４ｉ間の離間距離４Ｄは７０〜１００ｍｍ程度であるのが好ましい。また、境界４ｋは吸収体の幅方向中心線から幅方向に５０ｍｍ以上、特に５０〜８０ｍｍ程度離間しているのが好ましい。
【００４７】
さらに図示形態では、吸収体３における左側の股間部易折り曲げ部３ｙの前端部から幅方向左側縁まで、及び吸収体３における右側の股間部易折り曲げ部３ｙの前端部から幅方向右側縁まで、それぞれ腹側易折り曲げ部３ｘが線状に延在されている。この腹側易折り曲げ部３ｘは、図４に示すように、幅方向に対する角度θ２が−６０度から＋６０度の範囲（図示のように幅方向に沿う状態は０度）に設けられるものである。この角度範囲は、±４５度であるのが好ましく、中でも０〜＋６０度（＋は斜め前側）であるのが好ましく、特に０〜＋４５度であるのが好ましい。また、腹側易折り曲げ部３ｘは、図示例のように直線状とする他、例えば鼠蹊部に沿うように前後方向中間部がパッド前側かつ幅方向中央側に膨出する湾曲形状とすることもできる。
【００４８】
ここで、易折り曲げ部３ｙ，３ｘは、スリット、又はエンボス加工等による圧縮加工部により形成できる他、吸収体３を複数層構造とする場合には、一方の層を他方の層の周縁から食み出させることにより、他方の層の周縁を易折り曲げ部として形成することができる。前者の場合、易折り曲げ部３ｙ，３ｘの幅は５〜２０ｍｍ程度とするのが好ましく、スリットの方がより折れ曲がり易くなるため好ましい。後者の場合、折り曲げられる層の繊維目付けは１５０〜４２０ｇ／ｍ2程度、厚みは４〜８ｍｍ程度とし、折り曲げられない層の繊維目付けは２３０〜３００ｇ／ｍ2程度、厚みは４〜８ｍｍ程度とするのが好ましい。また、吸収体の各層はホットメルト接着剤等の接合手段により一体化することができる。
【００４９】
図６〜図８に示すように、股間部及び腹側易折り曲げ部３ｙ，３ｘの両者をスリット、又はエンボス加工等による圧縮加工部により形成しても良いが、特に図４に示す形態のように、吸収体３を、下層３Ｂの上に上層３Ｕ上層を積層して構成するとともに、腹側易折り曲げ部３ｘを下層３Ｂの周縁における上層の下面と重なる部分により形成し、且つ股間部易折り曲げ部３ｙを下層３Ｂに設けられたスリット又は圧縮加工部により形成すると、製造が容易であるため好ましい。より詳細には、下層３Ｂは、腹側易折り曲げ部３ｘに沿う形状の前縁を有し、且つ股間部易折り曲げ部３ｙがスリット又は圧縮加工部により形成されたものであり、上層３Ｕは、下層３Ｂより前側及び後側に延出しているものである。また上層３Ｕには後述する拡散防止部３ｚが設けられている。図示しないが、上下反対に、腹側易折り曲げ部３ｘを上層３Ｕの周縁における下層３Ｂの下面と重なる部分により形成し、且つ股間部易折り曲げ部３ｙを上層３Ｕに設けられたスリット又は圧縮加工部により形成しても良い。
【００５０】
（拡散防止部）
より好ましい形態では、図示のように、股間部Ｍにおける股間部易折り曲げ部３ｙよりも後側に、吸収体３の幅方向一方側の側縁から他方側の側縁まで連続するスリット又はエンボス加工等による圧縮加工部からなる拡散防止部３ｚが形成される。このよう拡散防止部３ｚが設けられていると、その前側で吸収した尿の浸透拡散が当該拡散防止部３ｚで遮断又は堰き止められる。よって、背側への尿の拡散が防止されるため、褥瘡予防効果がより一層のものとなる。
【００５１】
この拡散防止部３ｚの幅は５〜２０ｍｍ程度とするのが好ましい。また、拡散防止部３ｚとしては、スリットの方が尿の拡散を遮断する効果が高いため好ましい。
【００５２】
この拡散防止部３ｚは、股間部Ｍの範囲内において股間部易折り曲げ部３ｙの後端から前側に１０ｍｍの位置まで及び後側に３０ｍｍの位置までの範囲に設けられるのが好ましい。より拡散防止性能を高めるために、図７に示すように前後方向に間隔を空けて複数設けることもできる。また、拡散防止部３ｚの形状は適宜定めることができ、図８に示すように幅方向に沿う直線状にすることもできるが、図４に示すように幅方向中間部が前側に膨出する形状が好ましい。このような膨出形状としては、湾曲状よりも、図示のように幅方向中央で屈曲する山形が好ましく、特に図示のように徐々に幅方向に沿うような形状とするために変曲点を設けるのが好ましい。拡散防止部３ｚがこのような膨出形状を有していると、後側へ向かって浸透拡散する尿が、拡散防止部３ｚに沿って斜めに向きを変え、拡散防止部３ｚを越え難くなる。
【００５３】
さらに、背側への尿の拡散を防止し褥瘡予防効果をより一層のものとするため、図３にも示すように、吸収体３は背側部分Ｂまで延在させない構造とするのが好ましい。
【００５４】
かくして構成された吸収パッドにおいては、股間部易折り曲げ部３ｙを身体側（内面側）から見て山折りし、腹側易折り曲げ部３ｘを身体側（内面側）から見て谷折りすることにより、図９及び図１０に示すように、股間部Ｍの幅方向中央部がその左右両側に対して股間１０１側に膨出し、膨出部分がその左右両側に支えられつつ股間１０１に対して弾力的に密着し、尿吸収後の重さにも耐えて密着が維持されるようになるとともに、腹側部分Ｆが腹側易折り曲げ部３ｘよりも前側に位置する部分において股間部Ｍに対して身体側に起立し、下腹部に対しても良好にフィットし、腹側部分Ｆに不要な力が加わり難いため、腹側部分Ｆのずれに起因して股間部Ｍに隙間が発生するといった事態も発生し難くなる。また、図示の形態では、吸収体３の後端が股間部Ｍと背側部分Ｂとの境界に位置するため、背側部分Ｂも股間部Ｍに対して身体側に起立し、身体臀部に対して良好にフィットする。
【００５５】
しかも、立体ギャザー４の非固定部分４ｆは、図１０に示されるように、物品内面（図示形態ではトップシート１表面）に対して自由に移動するバリヤ部となり、膨出部分の密着部分の幅方向両側において、立体ギャザー４の幅方向中央側端縁が膨出部分よりも高く突出して太股１０２の内側に弾力的に密着し、膨出部分に対して独立的且つ自由に動くことができるようになるため、股間部Ｍを膨出させて身体に当てる形状でありながら、横漏れを確実に防止できるようになる。
【００５６】
（体圧分散層）
なお、吸収体３を背側部分Ｂまで延在させない構造としても、現実には背側への尿の拡散をあらゆる場合に完全に防止することは困難であるため、背側部分Ｂに尿が拡散してしまった場合の対策として、背側部分Ｂにおけるトップシート１及びバックシート２間に、後述する体圧分散層３３を設けるのが好ましい。
【００５７】
（体圧分散層の第１の形態）
体圧分散層の第１の形態は、図１１〜図１４に示すように、シート状繊維基材３０内に吸収性ポリマー３１が散在された複数の移動層３３Ａ，３３Ｂを積層してなるものである。これらは、必要に応じて図示しない被覆シートにより一体的に被覆することができる。被覆シートの素材は体液を透過する性質を有するものであればよく、その種類は特に限定されない。例えば、透液性トップシート１として例示したのと同様の素材とすることができる。
【００５８】
体圧分散層３３における吸収性ポリマー３１の総目付け量は２５０〜５００ｇ／ｍ2、好適には３００〜４００ｇ／ｍ2、特に好適には３３０〜３４０ｇ／ｍ2である。吸収性ポリマー３１の総目付け量が２５０ｇ／ｍ2未満であると、液吸収機能が不十分となるおそれがあり、５００ｇ／ｍ2を超えると過度の目付け量でありコスト高となるおそれがある。各移動層３３Ａ，３３Ｂにおける吸収性ポリマー３１の目付け量は二層であれば吸収体の半分とするほか、いずれか一方の移動層の目付け量が多くなるようにされていてもよい。例えば、裏面層に近い側の移動層３３Ｂの目付け量を多くすることができる。
【００５９】
体圧分散層３３は、図１１及び１３から明らかになるように、吸収性ポリマー３１の吸液によるゲル化膨張によって当該吸収性ポリマー３１がシート状繊維基材の繊維間の空隙を介して該シート状繊維基材の一方表面上に至るまで膨出され、基材繊維上にポリマー層を形成する移動層３３Ａ，３３Ｂが、吸収性ポリマー膨出面Ｆが対面されるものである。積層された各移動層３３Ａ，３３Ｂからゲル化されたポリマーが対面する面側に膨出することにより、特に図１２に模式的に示すように移動層３３Ａ，３３Ｂ間に必要十分な厚みのポリマー層４０が形成され、このゲル化ポリマー層４０によって体圧が受け止められて分散される。
【００６０】
ポリマー膨潤後における好適な吸収体の圧縮仕事量は、１．０〜１１．５ｇｆ・ｃｍ／ｃｍ2である。１．０ｇｆ・ｃｍ／ｃｍ2未満であると体圧分散性が十分に発揮されない場合があり、１１．５ｇｆ・ｃｍ／ｃｍ2を超えると、体圧分散層３３の形状保持の点から望ましくない場合がある。
【００６１】
なお、体圧分散層３３の圧縮仕事量の測定方法は次のとおりである。まず、３０ｍｍ×３０ｍｍに裁断した吸収体を試料とし、これを５０ｍｍΦのビーカーに入れたのち、生理食塩水を加え、１０分間膨潤させる。このとき、生理食塩水は、内在されているポリマー１ｇあたり４０ｇ以上となる量を用いる。その後に試料をビーカーから取り出して水平台に載置する。このとき、ポリマー層がつぶれないようにする。次いで、圧縮試験機で吸収体の中央を圧縮して圧縮仕事量を測定する。なお、測定条件は、面積２ｃｍ2の円板で５０ｇ加重（スピード０．１ｃｍ／ｓｅｃ）での圧縮とする。圧縮試験機は、例えば、カトーテック株式会社  ＫＥＳ−Ｇ５を用いればよい。
【００６２】
また、ゲル化ポリマー層４０はシート状繊維基材面３０（Ｆ）に膨出して形成されるものであるから、シート状繊維基材３０による拘束をほとんど受けない。従って、対面する各移動層同士３３Ａ，３３Ｂはゲル化ポリマー層４０の存在によって互いにせん断方向への移動が規制されず、各移動層同士はせん断方向へ移動可能となる。
これらの効果によって、従来吸収性物品ではなされなかった顕著な体圧分散効果及び褥瘡防止効果が得られるのである。
【００６３】
なお、移動層の層数は製造容易であり、また適度な厚さにしやすいことから好適には図示例のとおり二層であるが必ずしも二層に限定されることはない。
【００６４】
また、吸液後のゲル化ポリマー層４０の厚さは、限定されるものではないが、好適には５〜２０ｍｍ程度である。
【００６５】
ここで、移動層は、膨潤後のポリマー膨出量率が、１０〜６０重量％であるのが望ましい。好適には、３５〜４５重量％である。１０重量％未満であると体圧分散性が不十分となる場合があり、６０重量％を超えると移動層間のズレが大きくなりすぎ、体圧分散層の形状保持の点から望ましくない場合がある。
【００６６】
なお、本発明におけるポリマー膨出量率の測定方法は、次のとおりである。まず、３０ｍｍ×３０ｍｍに裁断した移動層を試料とし、これを内径５０ｍｍΦのビーカーに入れたのち、生理食塩水を加え、１０分間膨潤させる。このとき、生理食塩水は、内在されているポリマー１ｇあたり４０ｇ以上となる量を用いる。その後に試料をビーカーから取り出してポリマー膨出面が上側となるようにして水平台に載置するとともに、その重量を測定する。このとき、ポリマー膨出面の膨出ポリマーがつぶれないようにする。次いで、ポリマー膨出面を押しつぶさないようにスパチュラでポリマー膨出面のポリマー層を１０回掻き取り、掻き取り後の試料の重量を測定し、次式１に従ってポリマー膨出量率を算出する。
［式１］ポリマー膨出量率＝（膨出ポリマー掻き取り後の試料重量／１０分間膨出後の試料重量）×１００
【００６７】
他方、吸液によるゲル化膨張によって、シート状繊維基材上にゲル化ポリマー層４０が形成されるようにするためには、例えば、図１３に示すように、吸収性ポリマー膨出面Ｆ側へ向かって目付け量が多くなるように吸収性ポリマー３１を偏在するようにしてシート状繊維基材３０内に吸収性ポリマー３１を散在させ、特に、吸収性ポリマー膨出面Ｆ近傍に膨出に必要十分な量の吸収性ポリマー３１を位置せしめるようにする。
【００６８】
また、吸収性ポリマー膨出面Ｆ側から反対面側に向かって位置されるポリマー種類が相違するようにしてもよい。例えば、吸収性ポリマー膨出面Ｆ側に高吸収・高膨張・高粒子径等の吸収性ポリマーを位置させ、反対面側にそれよりも低吸収・低膨張・低粒子径等の吸収性ポリマーを位置させる。
【００６９】
なお、膨出に必要十分な量の吸収性ポリマー３１は、シート状繊維基材３０の密度、繊維間の空隙及び用いる吸収性ポリマー３１の膨張率などを考慮して適宜決定する。
【００７０】
シート状繊維基材３０内において厚さ方向に吸収性ポリマーを偏在させる方法例を挙げれば、シート状繊維基材３０の一方面に多くの接着剤を散布して、当該一方面側に吸収性ポリマー３１が多く接着されるようにする方法や、吸引作用によって偏在させる方法を採ることができる。移動層３３Ａ，３３Ｂ自体をポリマー目付け量の相違する層を重ねて形成するようにしてもよい。
【００７１】
下記に掲げる吸収性ポリマー種あるいは一般的なこの種の吸収性物品に用いられる吸収性ポリマーを用いるのであれば、吸収性ポリマーの目付け量が０〜２００ｇ／ｍ2の低目付け層と、この低目付け層よりも吸収性ポリマー膨出面側に位置する目付け量１５０〜４００ｇ／ｍ2の高目付け層とを積層した構造にするのが好適である。さらに、図１３に示す体圧分散層例のように、所望面Ｆへ膨出しやすくすべく低目付け層よりもポリマー膨出面とは反対面側に、吸収性ポリマーの目付け量が実質的に０ｇ／ｍ2である非目付け層を設けるのがよい。この場合、非目付け層の繊維密度を他の二層よりも高いものとするのがよい。
【００７２】
また、シート状基材繊維基材３０上にゲル化ポリマー層４０が好適に形成されるようにすべく、シート状繊維基材３０の繊維と吸収性ポリマー４０との接着力を小さくする又は接着部分を小さくするとさらに効果的である。
【００７３】
このようにすると、吸収性ポリマー３１は繊維に接着していた状態から、吸液による膨潤によって繊維との接着性を失いやすく、また、繊維と接着している極小接着領域以外の部分のみが膨潤して当該極小領域を残して繊維から分離しやすく、もって、繊維間の間隙から所望面に膨出してゲル化ポリマー層４０形成が好適になされる。
【００７４】
さらに、シート状基材繊維３０上にゲル化ポリマー層４０が形成されるようにするにあたっては、例えば、図１４に示す体圧分散層のように移動層３３Ａ，３３Ｂの吸収性ポリマー膨出面Ｆにエンボスｅ加工が施したものとするのがよい。
エンボス加工がなされていると、膨出面の面積が広くなり露出されるポリマー量が多くなるため、基材内から所望面へ膨出しやすくなる。
【００７５】
また、例えば、シート状繊維基材３０にエンボス加工を施したのちに、当該エンボス面に吸収性ポリマー３１を散布するだけで、シート状繊維基材３０内に吸収性ポリマー３１を散在せしめることができ、本形態の移動層の製造が容易となる利点もある。
【００７６】
ここでエンボスパターンは特に限定されない。従来この種の体圧分散層又は移動層になされているエンボスパターン及びエンボス付与方法を採ることができる。
【００７７】
シート状繊維基材３０の繊維に対して吸収性ポリマー３１を固定するにあたっては、ホットメルト接着剤により接着するのが好適である。ホットメルト接着剤は、ハンドリング性に優れるとともに、繊維に対して拘束力が弱い状態で吸収性ポリマー３１を接着でき、もって、吸液時に吸収性ポリマーが繊維基材表面へ確実に膨出できる状態で散在せしめることができる。
【００７８】
このホットメルト接着剤としては、スチレン系ブロック共重合体やポリウレタン系ブロック共重合体、ポリエステル系ブロック共重合体、ポリアミド系ブロック共重合体、共重合体ブレンドのベースポリマーと、ロジン系樹脂、ポリテルペン系樹脂、テルペンフェノール系樹脂、ジシクロペンタジエン系石油樹脂、脂肪族系石油樹脂、芳香族系石油樹脂、共重合系石油樹脂、脂環族系石油樹脂、キシレン樹脂およびエラストマー等の常温時固体の接着性付与成分と、ワックス類などの可塑剤成分と、酸化防止剤を構成成分として少なくとも含むものが好適に用いられる。
【００７９】
ここで、移動層におけるシート状繊維基材に対するポリマーの固着率は、４５〜９５％であるのが望ましい。特に８０〜９５％であるのが望ましい。４５％未満であるとジャリ感が生じやすく、また、所望のポリマー層が形成されにくくなる。また、９５％を超えても所望のポリマー層が形成されにくくなる。
【００８０】
なお、本発明におけるポリマーの固着率の測定方法は、次のとおりである。まず、２７０ｍｍ×７０ｍｍに裁断又は成形した移動層を試料とし、試料の重量を測定する。次いで、２８０ｍｍ×２００ｍｍの樹脂製袋に形状を崩さずそのまま入れて封をする。次いで、この袋を振幅１００ｍｍで１回／１秒の速度で５０回の振動を与えて、吸収性ポリマーを繊維基材から落下させる。次いで、落下したポ吸収性ポリマーの重量を測定し、次式２に従って吸収性ポリマーの固着率を算出する。
［式２］吸収性ポリマーの固着率＝１００％−｛（脱落ポリマー重量／試料の当初重量）×１００｝
【００８１】
一方、移動層３３Ａ，３３Ｂを構成する前記シート状繊維基材３０は、不織布シート、トウ繊維集合体、合成繊維集合体、積繊パルプなどが用いられる。
【００８２】
トウ繊維集合体、合成繊維集合体、エアレイド法により形成されたエアレイド不織布シートは、繊維同士の絡みが強く、形状安定性に優れ、せん断方向へ移動したときに繊維間でほつれて崩れることがない移動層としやすい。
【００８３】
合成繊維集合体の構成繊維としては、ナイロン、ポリエチレンテレフタレート、ポリエチレン、ポリプロピレン、等のオレフィン系、ポリエステル系、ポリアミド系等の一般的な合成繊維のほか樹脂性フィルムシートを繊維状に裁断したものも用い得る。
【００８４】
一方、シート状繊維基材を不織布シートとする場合には、その密度は０．０１〜０．２５ｇ／ｃｍ3とするのがよい。繊維基材の密度を本発明の範囲とすると、吸収性ポリマーの散在と、繊維間の間隙を介した吸収性ポリマー３１の膨出とを好適に行うことができる。
【００８５】
また、不織布シートは、短繊維を含むものがよく、特に、親水性の倦縮繊維である短繊維を含むものがよい。
不織布シートの具体例としては、ポリエチレンまたはポリプロピレン等のオレフィン系、ポリエステル系、ポリアミド系等の合成繊維、レーヨンやキュプラ等の再生繊維、綿等の天然繊維を、エアレイド法、スパンレース法、スパンボンド法、ポイントボンド法、サーマルボンド法、メルトブローン法、ニードルパンチ法等の適宜の加工法によって加工したものが挙げられる。
【００８６】
嵩高で空隙率を高くでき、十分な量の吸収性ポリマーを散在させることが容易で、迅速に繊維基材表面にポリマー層が形成される点で、エアスルー不織布は好適である。特に、ポリエチレン／ポリプロプレンの混合繊維で構成されるエアスルー不織布は好適である。
【００８７】
体圧分散性、吸収性ポリマーの散在性、ポリマー層の形成性等の点から、特別に好適な不織布シートからなるシート状繊維基材は、繊維径２〜２０ｄｔｅｘ、繊維長２０〜７０ｍｍの短繊維を含む、目付け量２０〜５０ｇ／ｍ2、厚さ０．４〜１０ｍｍのエアスルー不織布シートである。
【００８８】
他方、シート状繊維基材３０として積繊パルプを用いる場合には、その原料素材は、特に限定されない。例えば、綿状パルプや合成パルプなどの公知の素材を例示することができる。また、パルプの原料繊維は特に限定されず、例えば、機械パルプ、化学パルプ、溶解パルプ等の木材から得られるセルロース繊維や、レーヨン、アセテート等の人工セルロース繊維などを例示することができる。ただし、セルロース繊維の原材料となる木材は、広葉樹より針葉樹の方が繊維長が長いため、空隙形成面などの機能及び価格の面で好ましい。
【００８９】
一方、シート状繊維基材３０内に散在される吸収性ポリマー３１は、ティーバッグ法に基づいて測定された吸液量が４０〜１００ｇ／ｇであるのが望ましい。吸収性ポリマー３１の吸液量が１００ｇ／ｇを超えると、ゲル化ポリマー層４０の厚さが厚くなりすぎて、装着感が悪化するおそれが高まる。また、移動層３３Ａ，３３Ｂ間境界におけるズレが過度に生じやすくなり、フィット感の悪化のおそれも高まる。反対に膨潤度が４０ｇ／ｇ未満であると、十分なゲル化ポリマー層４０が形成されずに、所望の体圧分散効果が得られないおそれが高まる。
【００９０】
ここで、前記ティーバッグ法の測定手順は、下記（１）〜（６）の手順に従って測定する。
（１）ティーバッグ（２００ｍｅｓｈのナイロン袋製）に吸収性ポリマー０．５ｇを入れて測定試料を作成する。
（２）２００ｃｃのビーカー内に１００ｃｃの生理食塩水を入れ、前記試料を該生理用食塩水に３０分間、浸漬させる。
（３）生理用食塩水から試料を引き上げて、５分間水きりを行う。なお、水切りは、引き上げたティーバッグをビーカー上方に吊るすことで行い。なお、水きりは、室温１５〜３０℃、湿度４０〜８０％の範囲において行う。
（４）水切り後の試料の重量を測定する。
（５）吸収性ポリマーを入れない空のティーバッグについても前記（１）〜（４）の手順に従って水切り後の重量を測定する。
（６）式：（［試料の水切り後の重量］−［水切り後のティーバッグの重量］）／０．５によって吸収性ポリマー１ｇあたりの生理食塩水吸収量を算出して、これを吸液量とする。
【００９１】
また、吸収性ポリマーは、膨潤後のゲル強度が０〜１０ｍｍであるのが望ましい。吸収性ポリマーのゲル強度が１０ｍｍを超えるとポリマー層が体圧によって完全につぶれてしまって所望の体圧分散効果が得られないおそれがある。
【００９２】
ここで、ゲル強度の測定方法は、開口径６７Φの２００ｃｃビーカーに測定試料となる吸収性ポリマー２ｇをいれた後、さらに生理食塩水を６０ｃｃ入れて３分間放置してポリマーを吸液させ、その後に吸液した吸収性ポリマーの膨張面に静かに５００ｇの球体を乗せて３分間放置する。次いで、その球体の沈み長を測定してこれをゲル強度とする。なお、沈み長は膨張面から球体最下部までの距離である。
【００９３】
さらに、吸収性ポリマーは、膨潤後における粘度が、２００〜１５００ｍｐａ・ｓであるものが望ましい。２００ｍｐａ・ｓ未満であると移動層のせん断方向への移動が好適に生じない場合があり、１５００ｍｐａ・ｓを超えると過度の移動によって体が十分に支持されない場合がある。
【００９４】
なお、粘度の測定方法は、次のとおりである。まず、内径５０ｍｍΦの１ｇの試料となるポリマーを入れ、さらに生理食塩水を４０ｇ加えて１０分間放置し、吸収性ポリマーを膨潤させる。次いで、粘度測定装置のプローブを、膨潤ポリマー内に挿入して１０分間振動させ、このときの垂直方向に働く単位面積あたりの内部抵抗の大きさ測定する。粘度測定装置は、例えば、ＣＢＣ株式会社製  ＶＭ−１０Ａを用いればよい。
【００９５】
吸収性ポリマー３１は、具体的には、カルボキシメチルセルロース、ポリアクリル酸およびその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、あるいはイソブチレンとマレイン酸との共重合体等から選択できる。製品の吸湿によるブロッキング性を抑制するためにブロッキング防止剤が添加されたものも用いることができる。また吸収性ポリマーとしては、粉体状、粒子状、顆粒状、ペレット状、ゾル状、サスペンジョン状、ゲル状、フィルム状、不織布状等のさまざまな形態をもったものがあるが、これらはいずれも本発明において使用可能であり、特に粒子状のものが好適に使用される。造粒品であるか破砕品であるかも問わない。
【００９６】
なお、吸収性ポリマーの平均粒径（ふるい分け法による）は、繊維基材の密度等を考慮しつつ適宜定めることができるが、好適な例を示せば、１５０〜５００μｍである。特に好適な例は、２００〜４００μｍである。１５０μｍ未満であるとポリマー固着率が悪化する要因となり、５００μｍを超えるとシート状繊維基材内に散在させにくくなる。
【００９７】
他方、一つの好ましい形態では、特に図１１に示されるように、体圧分散層３３の表面側及び裏面側の両方に不織布シートからなるシート状拡散部材５０，５０が設けられている。表面側にシート状拡散部材５０を設けるのであれば、前記被覆シートの表面側であっても裏面側であってもよい。
【００９８】
なお、シート状拡散部材５０，５０は、図示例では、体圧分散層の表裏面の双方に設けているが、何れか一方のみに設けてもよい。シート状拡散部材は、エアスルー不織布シートで形成するのが望ましい。このようなシート状拡散部材を設けることにより、尿や血液等の体液が体圧分散層全面にわたって迅速に拡散するようになるため、移動層全体が有効利用されるようになる。特に、体圧分散層と透液性トップシートとの間に不織布シート、特にエアスルー不織布シートが介在されていると、体圧分散層の厚み方向への移動の自由度が高まり、体圧分散がより得られやすくなる。また、体圧分散層からの体液の逆戻りが防止されるとともに、肌と体圧分散層との距離が遠くなり、吸液後の装用感が良好となる。
【００９９】
さらに、本形態において、体圧分散層３３の裏面側であって、かつ、裏面側のシート状拡散部材５０よりもさらに裏面側には、積繊パルプをシート状にしたパルプ層６０が設けられている。パルプ層６０を配することにより、体液吸収速度が速くなり、また、体液吸収容量が増え、意図しない体液の漏れの発生が低減される。積繊パルプとしては、前述のシート状繊維基材に用いられるものとして示した積繊パルプを用いることができる。
【０１００】
その他、体圧分散層３３と透液性トップシート１と間にいわゆるセカンドシートといわれる、体液を拡散し透過する性質を有するシートを配することもできる。セカンドシートの素材は、この体液拡散・透過性を発現するものであれば足り、例えば、透液性トップシート１と同様の素材などを例示することができるが、セカンドシートは、透液性トップシートよりも体液の透過性に優れるものが特に好ましく、透液性トップシート１よりも繊維密度が小さい、不織布であると特に好ましいものとなる。
【０１０１】
ここで、図示例の形態においては、肌当接面側（透液性トップシート１側）の移動層３３Ａと非肌当接面側（バックシート２側）の移動層３３Ｂの厚さ、大きさが同じであるが、これらは必ずしも同じである必要はない。例えば、正面視において肌当接面側（透液性トップシート１側）の移動層３３Ａが非肌当接面側（バックシート２側）の移動層３３Ｂよりも小さくなるように構成してもよいし、その反対の構成を採ってもよい。肌にフィットする体圧分散層の形状を考慮して各々適宜の大きさ、形状とすることができる。形状は、この種の吸収性物品に採用される体圧分散層又は移動層の形状を適宜採用し得る。
【０１０２】
さらには、各移動層３３Ａ，３３Ｂは、厚さ、用いる吸収性ポリマー種、用いる繊維状シート基材の種類・密度などが相違していてもよい。上記説明の本発明の移動層の構成の範囲内において各々別々の構成を採ることができる。
【０１０３】
（体圧分散層の第２の形態）
図１５に示すように、体圧分散層の第２の形態は、隣接する移動層間に積繊パルプ又は不織布からなるシートＳを介在させた形態である。積繊パルプ、不織布からなるシートＳが介在されている以外の構成については、上記第１の実施の形態と同様の構成である。
【０１０４】
本形態に従って、移動層間に積繊パルプ、不織布シートを介在させることにより、体圧分散層の剛性の調整が可能となるほか、移動層間での体液の拡散、移動層間での体液保持などの作用が生ずる。
【０１０５】
また、移動層間に積繊パルプ又は不織布からなるシートＳを介在されていると、ポリマー層が形成されたときに、ポリマー層を構成する膨潤ポリマーが当該シートＳに付着する作用が生じて、ポリマーの繊維基材内への逆戻りが防止され、一旦形成されたポリマー層の消失や薄層化が防止され、移動層の移動効果及び体圧分散効果の持続性が向上する。
【０１０６】
シートＳをいわゆるセカンドシートと同様の構成の体液拡散性に優れる不織布シートとすれば、移動層間での体液の拡散がなされ、体液が肌非当接面側に位置する移動層の広範に体液を拡散させつつ移動せしめられるので、肌非当接面側に位置する移動層におけるポリマー層の形成部分が偏在しないようになるなどの効果が奏される。
【０１０７】
シートＳを、積繊パルプ等の体液保持性に優れるシートとすれば、移動層間における体液保持効果が高まり、これに隣接する移動層間にポリマー層が好適に形成される時間が確保される効果を奏する。
【０１０８】
ここで、シートＳは、移動層のシート状繊維基材と同様の繊維素材を用いることができる。ただし、厚さは繊維状シート基材よる薄くし、密度も小さくするのが好ましい。吸収性ポリマーは内在させないのが好適である。具体的なシートＳの厚さは０．５〜１．０ｍｍ程度が適する。また、大きさは移動層と略同様又は若干小さく構成するのが好適である。
【０１０９】
（体圧分散層の第３の形態）
体圧分散層の第３の形態は、図１６〜１８に示すように、隣接する移動層間に相対的な互いのせん断方向への移動を補助する移動補助層を設けた形態である。移動層及び移動補助層以外の構成については、上記第１の実施の形態と同様の構成を採る。
【０１１０】
第３の形態を特徴的に示す断面図を図１６に示す。図１６に示されるとおり、第３の形態は、二つの移動層３３Ａ，３３Ｂを有し、これら移動層３３Ａ，３３Ｂの間に、移動補助層７０が設けられている。移動層の数は二つに限定されず三つ以上積層させることもできる。
【０１１１】
本形態における移動層３３Ａ，３３Ｂは、第１の実施形態と同様の繊維基材に吸収性ポリマーを散在させた構造を有する。
【０１１２】
本形態における繊維基材３０としては、第１の実施の形態の欄で示した不織布シート、トウ繊維集合体、合成繊維集合体、積繊パルプなどを用いることができる。
【０１１３】
吸収性ポリマーを用いる場合において、繊維基材内に散在させる方法、固定方法、使用ポリマー量は、第１の実施の形態と同様とすることができる。
【０１１４】
他方、移動補助層７０について詳述すると、この層は、少なくともポリマー層形成時における移動層間の静摩擦係数及び動摩擦係数に相当する力の何れかを低下させる層である。好適にはポリマー層非形成時においても移動層間のせん断方向の移動を補助するものである。ここでの摩擦係数に相当する力は、ＪＩＳ  Ｐ  ８１４７における水平法に基づき、移動層同士を上下に積層した状態で、上側の移動層をせん断方向に一定力で引っ張って移動させたときに必要となる力をいう。
【０１１５】
この移動補助層７０は、主に気体、液体又は粒子又はこれらの混合物で構成される移動補助材７１を移動層間に介在させることで形成され、体液保持及び形状安定性の点からは粒子又は粒子に適量の液体を混合したものが最も適する。
【０１１６】
移動補助材７１として適する具体的な素材としては、例えば、空気、ポリマー粒子、ゲル、ビーズ粒子、粒状ウレタン材、スポンジ、海綿体、潤滑ポリマー、多孔性シリコンシート、シリコン樹脂、シリコン粒子等が挙げられる。
【０１１７】
移動補助層７０の厚さは、限定されるものではないが、好適には５〜２０ｍｍ程度である、素材として粒子を用いる場合における、平均粒径は繊維基材３０の繊維密度などを考慮して適宜設計すればよい。移動補助層の粒子密度も同様にして適宜設計する。
【０１１８】
ここで、移動補助層７０は、移動補助材７１の移動層３３Ａ，３３Ｂ間からの意図しない流出を防止して、移動層３３Ａ，３３Ｂ間にとどめるべく、次のような構成を採ることができる。すなわち、図１７に示されるように、隣接する移動層３３Ａ，３３Ｂ間に画壁７２を架橋して繋いで複数の区画７３に分画し、この分画された各区画７３，７３に移動補助材７１を充填した構造とすることができる。画壁７２は上述の透液性トップシートに用いうる素材と同素材のシートにより構成でき、移動層３３Ａ，３３Ｂに対してはホットメルト接着材などによって接着することができる。移動層３３Ａ，３３Ｂとは必ずしも接着されていなくてもよいし、一方の移動層、例えば３Ａのみと接着する態様であってもよい。このような構造を採ることで、移動補助材７１の流出が防止されるととともに、移動層３３Ａ，３３Ｂの過度のせん断方向へのズレが防止される。
【０１１９】
他方、移動層３３Ａ，３３Ｂ同士の意図しないズレを防止すべく、図１８に示すように隣接する移動層を一体化するエンボス加工ｅ１，ｅ１を施すことができる。エンボス加工によって一時的に各層３Ａ，３Ｂ，７０の密着間が高まり、不使用時など体圧分散層の肌当接面又は非当接面に意図する圧力が加わっていない状態のときに移動層がずれてしまうことが防止される。すなわち、所望の体圧が加わらない限り、移動層のズレが生じない製品とすることができる。なお、この効果を得るにあたって、体圧分散層にエンボス加工をしてもよい。このエンボス加工は、第１の実施の形態においても好適に作用する。
【０１２０】
なお、本形態における移動層も肌当接面側（透液性トップシート１側）の移動層３３Ａと非肌当接面側（バックシート２側）の移動層３３Ｂの厚さ、大きさ必ずしも同じである必要はない。各移動層３３Ａ，３３Ｂは、用いる吸収性ポリマー種、用いる繊維基材種類・密度等の構成などが相違していてもよい。上記説明の本発明の移動層の構成の範囲内において各々別々の構成を採ることができる。
【０１２１】
（当て方目印）
他方、図１に示すように、幅方向両側部における、股間部易折り曲げ部３ｙと対応する前後方向部位に、排尿口当接位置を表す目印２１をそれぞれ設けたり、幅方向両側部における、吸収体３の後端縁と対応する前後方向部位（背側易折り曲げ部）に、臀溝当接位置を表す目印２２をそれぞれ設けたりすると、より容易に吸収性物品を身体の適切な部位に当てることができるようになる。つまり、前者の場合には股間部Ｍを身体の股間に、また、立体ギャザー４を太股の内側にそれぞれ適切に当てることができるようになり、後者の場合には背側易折り曲げ部を臀溝に適切に当てることができるようになり、もって、背側への尿の拡散防止効果がより確実に発揮されるようになる。
【産業上の利用可能性】
【０１２２】
本発明は、例えば、パンツ型紙おむつ、止着式紙おむつ、吸収パッドなど体圧が加わる部位に用いられる吸収性物品に好適に利用可能なものである。
【符号の説明】
【０１２３】
１…透液性トップシート、１Ｂ…起立カフス、２…不透液性バックシート、３…吸収体、３ｙ…股間部易折り曲げ部、３ｘ…腹側易折り曲げ部、４…立体ギャザー、６…止着テープ、７…係止部、３０…シート状繊維基材、３１…吸収性ポリマー、３３…体圧分散層、３３Ａ，３３Ｂ…移動層、４０…ゲル化ポリマー層、５０…シート状拡散部材、６０…パルプ層、７０…移動補助層、７１…移動補助材、７２…画壁、７３…区画、ｅ…エンボス、Ｆ…吸収性ポリマー膨出面。
【図１】
0005511906.tif 000002
【図２】
0005511906.tif 000003
【図３】
0005511906.tif 000004
【図４】
0005511906.tif 000005
【図５】
0005511906.tif 000006
【図６】
0005511906.tif 000007
【図７】
0005511906.tif 000008
【図８】
0005511906.tif 000009
【図９】
0005511906.tif 000010
【図１０】
0005511906.tif 000011
【図１１】
0005511906.tif 000012
【図１２】
0005511906.tif 000013
【図１３】
0005511906.tif 000014
【図１４】
0005511906.tif 000015
【図１５】
0005511906.tif 000016
【図１６】
0005511906.tif 000017
【図１７】
0005511906.tif 000018
【図１８】
0005511906.tif 000019